(57)【要約】【課題】家庭用の空き容器圧潰器具において、家庭内に常備しやすい構造とすることにより空き容器圧潰が生活習慣化し、家庭内においてはゴミ容積を軽減し、社会的には資源ゴミとして分別収集機会を向上させるとともに行政等の行う回収効率を向上させ、リサイクルの推進に寄与する。【解決手段】本発明は基台と押圧板に空き容器を挟んで圧潰するものであるが、押圧板として竹筒を長軸方向に割った構造をとる半円筒形押圧板を用いることにより、社会通念上健康器具と認知される竹踏みの要領で踏むという動作を圧潰力源して使用するため、圧潰行為を違和感なく実現することができ、かつ簡素・軽量な構造が可能となる。圧潰機能の非使用時においても竹踏み器具として使用できることは、日用品として常備しやすい環境を実現することを意味し、家庭内で常備することにより空き容器減容ならびに資源ゴミの分別回収が常習化する作用をもたらす。【選択図】図１
2007075875.tif 000002
【特許請求の範囲】
【請求項１】
竹踏み形状である半円筒形押圧板の内壁に突起部を内設し、半円筒形押圧板の片端部を支点とし、基台に対して回動することを特徴とする家庭用空き容器圧潰器具。
【請求項２】
前記基台において凹構造を有し、凹構造谷部に空き容器を載せることを特徴とする請求項１に記載の家庭用空き容器圧潰器具。
【請求項３】
半円筒形押圧板の片端部において支点として用いられている支軸が上下方向に可動であることを特徴とする請求項１乃至２に記載の家庭用空き容器圧潰器具。
【請求項４】
半円筒形押圧板の上面部に突起部を設けることを特徴とする請求項１乃至３に記載の家庭用空き容器圧潰器具。
【発明の詳細な説明】
【技術分野】
【０００１】
本発明は、家庭内でゴミとして発生する空き缶、ペットボトル等の空き容器を家庭内で容易に圧潰することによりゴミを減容し、資源ゴミのリサイクルを推進する家庭用空き容器圧潰器具に関するものである。
【背景技術】
【０００２】
従来より、空き容器を家庭にて圧潰する器具は、空き容器を裁断機型の基台と押圧レバーにより挟みこみ圧潰する裁断機型の器具があった（例えば、特許文献１参照）。
【０００３】
また、押圧レバーを押圧板とし、空き容器圧潰時におけるスプリングバック現象を防止するため基台および押圧板に凹凸をつけた器具（例えば、特許文献２参照）があり、更に基台と押圧板が箱状に一体化し、非使用時に収納しやすい形状になっている器具（例えば、特許文献３参照）があった。
【特許文献１】特開平１０−４３８９１号公報
【特許文献２】特開平１０−５２８２１号公報
【特許文献３】特開２００２−１９２３９８号公報
【発明の開示】
【発明が解決しようとする課題】
【０００４】
従来の家庭用の空き容器圧潰器具において、空き容器を圧潰するという機能については充足できるものの、家庭内に広く一般的に普及していない。
【０００５】
この主な要因は公知あるいは既に市場流通されている空容器圧潰器具全般に、家庭用の器具としては重厚でかつ大型の器具であるため、家庭常備品としての要件に応えられない点にある。
【０００６】
これは、空き容器の圧潰には相当の力が必要となるため、器具の要件として材質的に強固なものが要求され、金属を主とした重厚でかつ家庭用としては比較的大型の器具になるためと分析できる。また、手元操作を力源としているため押圧レバー部を重くかつ支点からの距離を長くしなくては十分な圧潰機能にいたらないことが、器具の重厚さならびに大型化を不動なものにしている。
【０００７】
本発明である家庭用空き容器圧潰器具は、家庭内に常備しやすい構造とすることにより、家庭内での空き容器圧潰が生活習慣化し、家庭内においてはゴミ容積を軽減し、社会的には資源ゴミとして分別収集機会を向上させるとともに行政等の行う空き容器の回収効率を向上させ、リサイクルの推進に寄与することができるものである。
【課題を解決するための手段】
【０００８】
本発明である家庭用空き容器圧潰器具は、従来の手元作業による力から、踏むという力を利用することにより構造を簡素かつ軽量にし、更に空き容器圧潰以外の機能を家庭用器具として併用することにより家庭内にて常用されることを特徴とする。
【０００９】
本発明である家庭用空き容器圧潰器具は、基台と押圧板により空き容器を挟み圧潰する基本構造は先に公知されている器具と同様であるが、押圧板として社会通念上健康器具と認知されている竹踏み用の竹と同様の半円筒を用いることにより、使用者が違和感なく踏むという行為を行うことができ、体重移動を力源として容易に空き容器の圧潰ができる。
【００１０】
本発明である家庭用空き容器圧潰器具は圧潰器具として使用しないときでも、社会通念上健康器具と認知されている竹踏みとして使用できるため、圧潰器具および竹踏み器具の両面から家庭常備品として定着し、常用しやすい環境を提供する。
【発明の効果】
【００１１】
本発明は、竹踏み器具と同様の形状を有するため、家庭内の保管場所としてゴミ保管場所の近くに限定されることがなく、家庭内のどの部屋に保管していても違和感がないため家庭内の常備品として適合する。常備品としての適合により、空き容器の圧潰が常習化し、家庭での空き容器ゴミの保管場所を減少させ、更に行政等による空き容器回収の効率化につながり、環境対策に貢献することができる。
【００１２】
また、本発明は踏むという行為にて圧潰できることから手元作業で必要な腕力を必要としないため、通常家庭の台所を預かる婦人や、年配の方、子供といった一般的に腕力のない使用者においても容易に空き容器を圧潰することができる。
【００１３】
更に、本発明は社会通念上健康器具として認知されている竹踏み器具と同様の形状を有するため、家庭内において竹踏みとしても利用でき、空き容器圧潰器具と健康器具の二つの器具として使用することができる。
【発明を実施するための最良の形態】
【００１４】
竹筒を長軸方向に割った構造（竹踏み様の構造）を有し内壁に突起部２ａが内設されている半円筒形押圧板２と、土台となる基台１によって空き容器５を挟み込むことにより圧潰する（図１、図５、図６）。
【００１５】
基台１は凹構造を有する（図１、図５）。基台谷部１ａに容器５を載せることにより、使用時における容器５の左右方向（基台１の短辺方向）のズレを防ぐことができる。
【００１６】
基台１に固着された支持脚３により軸止された支軸４が、半円筒形押圧板２に設けている穴２ｃを貫通することにより、半円筒形押圧板２は支軸４を中心に回動する（図１、図２）。
【００１７】
半円筒形押圧板２の開口時において、半円筒形押圧板２の支持脚３側の下端と基台１との接触によりその回動を妨げないよう、半円筒形押圧板２には支持脚３側の下端に切れ込み部２ｄを設けている（図３、図６）。
【００１８】
使用者は半円筒形押圧板２と、基台谷部１ａの間に空き容器５をできるだけ支軸４側に詰めて載せ、半円筒形押圧板を足６で踏むことにより、容器５は基台谷部１ａと突起部２ａを内設した半円筒形押圧板２の間に挟まれて圧潰する（図６）。これが、空き容器圧潰に関する基本的な動作となる。
【００１９】
半円筒形押圧板２の長軸方向底部に緩衝板２ｂを固着することにより、半円筒形押圧板２の閉口時、半円筒形押圧板２は基台１に対してぐらつくことがなくなる。（図３、図６）。緩衝板２ｂはゴムやウレタン等、柔軟で耐加重性のある素材を使用する。
【００２０】
空き容器の圧潰器具として使用しない時、半円筒形押圧板２の長軸方向底部と基台山部１ｂが当接することで上からの圧力に対して安定的な形状が保持され、社会通念上健康器具とされる竹踏みとしての使用に耐えうる形状となる（図３）。
【００２１】
基台１に把手穴１ｃを設けることにより、片手で持ち歩くことができ、当発明品の移動が容易となる（図２）。
【実施例１】
【００２２】
半円筒形押圧板２として、長さ３９０ｍｍ、外径１２０ｍｍ、厚さ１０ｍｍの孟宗竹を用い、内壁に突起部２ａとして台形にカットした木片を３個内設した。基台１は合板を用い、基台山部１ｂの高さを１２ｍｍにした。支持脚３ならびに支軸４は鉄製の物を使用した。
【００２３】
該部材を組み立てて作成した家庭用空き容器圧潰器具を使用し、空き容器５を基台谷部１ａに置き、半円筒形押圧板２を体重７０ｋｇの男性が体重をかけて踏んだところ、３５０ｍｌ飲料ペットボトル乃至２０００ｍｌの飲料ペットボトルは容易に圧潰された。同様に１９０ml乃至２５０mlの飲料スチール缶ならびに、２８０ml乃至５００mlの飲料アルミ缶も容易に圧潰された。更に、９００ｍｌ乃至２０００mlのプラスチックボトルも容易に圧潰された。
【００２４】
空き容器の形状により多少の差異があるが、空き容器において概ね５０％の減容が見られた。
【００２５】
該家庭用空き容器圧潰器具は体重３０ｋｇの子供でも、同様の効果が得られた。
【実施例２】
【００２６】
実施例１の半円筒形押圧板２と基台１を用い、支軸４を支持脚３に軸止せず、支持脚３に支軸用の長方穴３ａを設け、支軸４が上下可動を可能とするように支軸脚３に取付けた場合（図７）、使用者が圧潰時に踏む動作を行うに際してより低い位置から踏み込むことができた。
【００２７】
支軸４が支持脚３に軸支されている場合において、突起部２と基台１との距離がｈの時、基台１と半円筒形押圧板２ｂとの角度はαであるのに対し（図８）、前記支軸４の上下可動を可能とした場合は、同条件下において（突起部２と基台１との距離がｈの時）該角度はβとなり、α＞βの関係が成り立った（図８、図９）。
【実施例３】
【００２８】
実施例１の突起部２ａとして、三角形にカットした木片を６個内設した場合、上記すべてのサイズの空き容器において７０％以上の減容が見られた。
【実施例４】
【００２９】
半円筒形押圧板２の円弧を形成する円周角が１５０度とし、空き容器圧潰機能を使用しない時に突起部２ａと基台谷部１ａが接することにより静止する構造とした（図１０、図１１、図１２）。この場合、実験した飲料空き容器すべてに対し概ね５０％の圧潰がなされ、実施例１と同様の空き容器圧潰の結果が得られた。
【００３０】
竹踏み器具として利用したところ、実例１の半円筒形押圧板と比べて特に違和感なく踏みつけることができた。
【実施例５】
【００３１】
半円筒形押圧板２の上部面に高さ２０mmになるよう直径１０mmの突起物３０個を埋め込んだ。
【００３２】
竹踏み器具として、足の裏に対する刺激性が高まった。
【産業上の利用可能性】
【００３３】
本発明は、空き容器の圧潰のみならず竹踏み器具としても使用でき、また簡素な構造により軽量化を実現し、更に外観的には竹踏み器具であるという特徴から家庭内備品として常備しやすく、家庭内における空き容器の圧潰ならびに分別収集が常習化し、資源ゴミのリサイクルに貢献する。
【００３４】
本発明は、家庭のみならず飲食店のゴミ保管場所や、集会所のゴミ保管場所など大量に空き容器が発生する場所に備品として具備することにより、空き容器の分別ならびに減容に貢献することができる。
【図面の簡単な説明】
【００３５】
【図１】本発明である家庭用空き容器圧潰器具の斜視図
【図２】同家庭用空き容器圧潰器具の平面図
【図３】同家庭用空き容器圧潰器具の側面図
【図４】同家庭用空き容器圧潰器具の正面図
【図５】同家庭用空き容器圧潰器具の背面図
【図６】同家庭用空き容器圧潰器具にて空き容器を圧潰している状態を表す側面図
【図７】支軸の上下可動を許す支持脚の側面図
【図８】支軸を軸支する支持脚を使用した場合の側面図
【図９】支軸の上下可動を許す支持脚を使用した場合の側面図
【図１０】半円筒形押圧板の円弧を短くした場合の側面図
【図１１】半円筒形押圧板の円弧を短くした場合の家庭用空き容器圧潰器具正面図
【図１２】半円筒形押圧板の円弧を短くした場合の家庭用空き容器圧潰器具背面図
【符号の説明】
【００３６】
１    基台
１ａ  基台谷部
１ｂ  基台山部
１ｃ  把手穴
２    半円筒形押圧板
２ａ  突起部
２ｂ  緩衝板
２ｃ  穴
３    支持脚
３ａ  長方穴
４    支軸
５    空き容器
６    足
【図１】
2007075875.tif 000003
【図２】
2007075875.tif 000004
【図３】
2007075875.tif 000005
【図４】
2007075875.tif 000006
【図５】
2007075875.tif 000007
【図６】
2007075875.tif 000008
【図７】
2007075875.tif 000009
【図８】
2007075875.tif 000010
【図９】
2007075875.tif 000011
【図１０】
2007075875.tif 000012
【図１１】
2007075875.tif 000013
【図１２】
2007075875.tif 000014